(57)【要約】【課題】ブラジャーのカップの及びバストの谷間を各個人の要求に応じて適宜調整可能であり、かつ外観的に良好で、着用時の乳房のフィット感も良いブラジャーを提供すること。【解決手段】乳房を被覆する左右２つのカップを有するブラジャーであって、両カップが相対する、各カップの上方中心側の辺の下方端とカップトップの高さの位置を結んだ線と、人体中心線の間の角度が３５度以下であり、少なくともつ１つ以上の紐通し可能な穴又は装具が、両カップが相対する、両カップの上方中心側の辺のうち下方端からカップトップの高さの位置までの間に、当該上方中心側の辺に沿ってそれぞれ設けられていること。【選択図】図１
0003141872.tif 000002
【実用新案登録請求の範囲】
【請求項１】
乳房を被覆する左右２つのカップ（２，３）を有するブラジャー（１）であって、
両カップ（２，３）が相対する、各カップ（２，３）の上方中心側の辺（５）の下方端（７）とカップトップ（１０）の高さの位置（８）を結んだ線と、人体中心線（９）の間の角度が３５度以下であり、
少なくともつ１つ以上の紐通し可能な穴又は装具（４）が、
両カップ（２，３）が相対する、両カップ（２，３）の上方中心側の辺（５）のうち下方端（７）からカップトップ（１０）の高さの位置（８）までの間に、当該上方中心側の辺（５）に沿ってそれぞれ設けられていることを特徴とするブラジャー。
【請求項２】
前記少なくともつ１つ以上の紐通し可能な穴又は装具（４）が、被覆されて少なくとも外観からは見えないことを特徴とする請求項１に記載のブラジャー。
【考案の詳細な説明】
【技術分野】
【０００１】
本考案は、乳房を被覆する左右２つのカップを有するブラジャーに関する。
【背景技術】
【０００２】
従来より女性がバストに着用し、乳房を支えるためにブラジャーが利用されている。またブラジャーは補正下着としても使用され、この場合、バストの形状を整形すると共に、形が崩れることを防ぐためにも利用される。
通常、ブラジャーは乳房を被覆するカップ・アンダーバスト部分を胸部を一周する形で囲む細い帯で、2つのカップを結び、更に背中まで回りカップが外れないように固定するベルト・肩紐とも呼ばれるストラップ・ホックから構成されている。
そして、ブラジャーのカップについては、適切に乳房を保持することが求められる。しかし、バストの形は各個人で異なる。一方、カップのサイズはある程度固定されているため、適切なフィット感を持たせることが難しい。そのため、カップの上辺にチャックを設け、乳房のフィット感を向上させることができる技術が公開されている（特許文献１参照）。
しかしながら、上記技術では外観的及びコスト的に問題があり、また肌を噛んでしまうという危険性も存在している。
【０００３】
すなわち、近年はシャツや上着などアウターのファッション性との関係から、下着もアウターの一部として捉えられるようになり、ブラジャーについても、アウターと同様な高度なファッション性が要求されてきている。
特に、バストの谷間はアウターによっては外から見える場合があり、バストの谷間を自在に調節し、かつ綺麗に見せるブラジャーが必要になってきている。
【特許文献１】特開２０００−３０３２１３号公報
【考案の開示】
【考案が解決しようとする課題】
【０００４】
そこで、本考案は、ブラジャーのカップの及びバストの谷間を各個人の要求に応じて適宜調整可能であり、かつ外観的に良好で、着用時の乳房のフィット感も良いブラジャーを提供することを目的とする。
【課題を解決するための手段】
【０００５】
前記目的を達成するため、本考案のブラジャーは、乳房を被覆する左右２つのカップを有するブラジャーであって、両カップが相対する、各カップの上方中心側の辺の下方端とカップトップの高さの位置を結んだ線と、人体中心線の間の角度が３５度以下であり、少なくともつ１つ以上の紐通し可能な穴又は装具が、両カップが相対する、両カップの上方中心側の辺のうち下方端）からカップトップの高さの位置までの間に、当該上方中心側の辺に沿ってそれぞれ設けられていることからなる。
【０００６】
また、前記少なくともつ１つ以上の紐通し可能な穴又は装具が、被覆されて少なくとも外観からは見えないことが好適である。
【０００７】
本考案に係るブラジャーは、少なくとも乳房を被覆する左右２つのカップを有するブラジャーに関する。近年、ブラジャーについてはデザイン性が向上し、肩紐のないものやワイヤーのないもの等様々なものが存在するが、本考案はこのような様々なブラジャーに適用可能なものである。
【０００８】
本考案の主たる特徴は、両カップが相対する、両カップの上方中心側の辺に、
少なくともつ１つ以上の紐通し可能な穴又は装具を設けたことである。
即ち、この紐通し可能な穴又は装具に、両カップを結ぶように紐状部材を通すものである。なお、結び方は紐状部材により適宜選択すればよい。これにより、使用者は紐状部材を結ぶことにより、両カップの引き寄せ具合を調節することができる。そのため、乳房のフィット感も向上し、バストの谷間を自在に調整することができ、かつ外からブラジャーが見えても、ブラジャーと紐状部材のデザイン的な統一感により自然で良好な外観を維持することができるものである。
【０００９】
そして、紐通し可能な穴又は装具の位置は、少なくとも当該上方中心側の辺の下方端からカップトップの高さの位置に１つ以上、当該上方中心側の辺に沿ってそれぞれ設けられる。ここでカップトップとは、カップの最も深い部分を意味する。すなわち、当該上方中心側の辺のカップトップの高さの位置とは、その上方中心側の辺のうち、カップトップの位置から水平な線と接する位置を意味するものである。
このような位置が、紐状部材を通してバストの谷間を自在に調節し良好な外観を維持するのに適切な位置であるからである。また、紐通し可能な穴又は装具の個数は、ブラジャーの及び紐状部材のデザインにより適宜選択すればよく、その位置も、上記の位置から始まりそれより上の位置に設けることができることは言うまでもない。なお、辺に沿って、とは辺の外側に紐通し可能な装具を設ける場合や、辺の内側に紐通し可能な穴又は装具を設ける場合を含む意味である。
【００１０】
紐状部材は、ブラジャーのデザインと合わせ、組紐やゴム紐など、様々な素材・色のものを適宜選択することができる。販売に際しては、ブラジャーと紐状部材を合わせて一体としてもよいし、別売りにして利用者の選択の幅を広げてもよく、外観性については従来の物よりはるかに応用の幅が広いものである。
【００１１】
また、両カップを寄せて適度な外観を保つためには、両カップのデザインとしてバストの谷間が深く見えることが好適である。そのため、両カップ間が深く鋭い角度になる、つまりＶ字のようになることが、構成上最も適しているものである。
そこで、本考案者は鋭意研究の末、両カップが相対する、各カップの上方中心側の辺の下方端とカップトップの高さの点を結んだ線と、人体中心線の間の角度が３５度以下であることが最も好ましいことを発見した。
すなわち、現在の３／４カップと呼ばれる一般的なブラジャーは、前記角度が４０〜４５度近辺のものが多い。しかしながら、このようなブラジャーに紐通し可能な穴又は装具を設け紐状部材を引くとカップの形が大きく崩れてしまったり、カップが布等で構成されている場合にはギャザー状の皺ができてしまうなど、ブラジャーとして適切なものでなくなってしまう。一方、前記角度が３５度以下であればこのような問題は生じることがなく、良好な機能と外観を維持することが出来る。
なお、前記角度は、適切なサイズのブラジャーを着用し、紐状部材を引かない状態で測った時の角度である。
【００１２】
また、外観性及び着用感をさらに向上させるため、前記少なくともつ１つ以上の紐通し可能な穴又は装具を被覆することも可能である。すなわち、布・レース・フェルトなど、カップとのデザイン性を保ちつつ素材を選択し、紐通し可能な穴又は装具を少なくとも外観から見える側に配置して被覆すれば、デザイン性を向上させることができる。また、肌にあたる側に配置して被覆すれば、直接紐通し可能な穴又は装具が肌に当たらず着用感を向上させることも可能である。
【考案の効果】
【００１３】
本考案のブラジャーは以上の構成により、カップの及びバストの谷間を各個人の要求に応じて適宜調整可能であり、かつ外観的に良好で、着用時の乳房のフィット感も良いという効果を有する。
【考案を実施するための最良の形態】
【００１４】
以下、本考案のブラジャーを図面を参照して説明する。
【００１５】
図１は、本考案に係るブラジャー１を内側から見た図である。
ブラジャー１は、左右のカップ２，３を有している。このカップ２，３は、人体中心線９と、上方中心側の辺５のうち下方端７からカップトップ１０の高さの位置８までを結ぶ線の間の角度が、３５度以下となるように設計されている。
そして、紐通し可能な装具４が、両カップ２，３が相対する、両カップの上方中心側の辺５に沿って複数設けられている。ブラジャー１を装着した後、この紐通し可能な穴又は装具４に通した紐状部材６の結ぶ強さを変えることにより、自在に乳房とのフィット感及びバストの谷間を調節できるものである。
なお、図示したように、紐通し可能な穴又は装具４は両カップ２，３の上方中心側の辺５のうち下方端７からカップトップ１０の高さの位置８までの間だけでなく、それより上の位置にまで連続して設けることが可能である。
【００１６】
図２は、紐状部材６を結んだ状態の、図１とは別の実施例のブラジャー１を内側から見た図である。図１の実施例と同様に、ブラジャー１は、左右のカップ２，３を有している。そして、紐通し可能な穴４が、両カップ２，３が相対する、両カップ２，３の上方中心側の辺５のうち下方端７からカップトップ１０の高さの位置８までの間に、両カップの上方中心側の辺５に沿って複数設けられている。
図２にからわかるように、紐状部材６は、ブラジャー１のデザイン性を失わずに良好な外観を保つことが可能である。
【００１７】
図３は、図２のブラジャー１を外側から見た図である。
この例では、紐通し可能な穴４が外側は被覆されており、外側から紐通し可能な穴４は見えなくなっている。このことにより、外観はさらに向上しているものである。
【００１８】
図４は、紐通し可能な穴または装具４を内側も被覆し、被覆した部分をめくった状態を表す図である。図のように、内側も被覆した場合は、その部分をめくることで紐を通す事が出来る。このようにすることで、紐通し可能な穴または装具が直接肌に当たることを防ぎ、着用感を向上させることが出来るものである。
【図面の簡単な説明】
【００１９】
【図１】本考案に係るブラジャーを内側から見た図である。
【図２】紐状部材を結んだ状態の本考案に係るブラジャーを内側から見た図である。
【図３】図２のブラジャーを外側から見た図である。
【図４】紐通し可能な穴または装具を内側も被覆し、被覆した部分をめくった状態を表す図である。
【符号の説明】
【００２０】
１    ブラジャー
２，３  カップ
４    紐通し可能な穴又は装具
５    上方中心側の辺
６    紐状部材
７    下方端
８    カップトップの高さの位置
９    人体中心線
１０  カップトップ
【図１】
0003141872.tif 000003
【図２】
0003141872.tif 000004
【図３】
0003141872.tif 000005
【図４】
0003141872.tif 000006